(57)【要約】【課題】  省スペースで、最適な伝送路の終端ができる通信装置及びその終端方法を実現する。【解決手段】  信号を送受信する通信装置に関するものである。  対になった信号ライン間を終端する終端抵抗と、終端抵抗を機能させる選択スイッチを有し、終端抵抗は、一端が通信装置のコネクタの未使用端子に接続されるとともに、他端が一方の信号ラインに接続されており、選択スイッチは、コネクタの未使用端子と、他方の信号ラインとの配線を形成する構成とした。【選択図】                    図１
2006246222.tif 000002
【特許請求の範囲】
【請求項１】
信号を送受信する通信装置において、
対になった信号ライン間を終端する終端抵抗と、
該終端抵抗を機能させる選択スイッチを有し、
前記終端抵抗は、一端が通信装置のコネクタの未使用端子に接続されるとともに、他端が一方の信号ラインに接続されており、前記選択スイッチは、前記コネクタの未使用端子と、他方の信号ラインとの配線を形成することを特徴とする通信装置。
【請求項２】
前記選択スイッチは、短絡コネクタで、前記コネクタと接続されると、前記未使用端子と、前記他方の信号ラインに接続された端子の間を短絡することを特徴とする請求項１記載の通信装置。
【請求項３】
前記信号ラインで行う通信は、差動シリアル転送であることを特徴とする請求項１又は２記載の通信装置。
【発明の詳細な説明】
【技術分野】
【０００１】
本発明は、信号を送受信する通信装置に関するものである。
【背景技術】
【０００２】
差動シリアル転送を行う伝送路などを用いた通信システムでは、伝送路の両端に位置する通信装置に終端抵抗を取り付け、伝送路のインピーダンス整合を行っている。
終端抵抗を取り付ける方法としては、通信装置に内蔵の終端抵抗と選択スイッチを備え、選択スイッチのＯＮ／ＯＦＦにより終端する方法や、通信装置のコネクタに終端抵抗を外付けする方法などがある。
【０００３】
図３及び図４は、従来の終端方法の例を示す図である。
図３は、通信装置の内部に終端抵抗と選択スイッチを備えた例である。
選択スイッチ２をＯＮすることにより、終端抵抗３が信号間に挿入され、選択スイッチ２をＯＦＦすることにより、終端抵抗３が取り外される。
【０００４】
図４は、通信装置の外部に終端抵抗を外付けにした例である。
通信装置の外部に外付け終端抵抗３をモジュールとして取り付けている。
通信装置内部に終端抵抗と選択スイッチという回路を備える必要がなく、通信装置の回路構成がシンプルになり、コスト低減を図ることができる。
【０００５】
従来の終端手段を示したものとして、例えば特許文献１に記載されたものがあった。
【特許文献１】特開平５−２９１９８４号公報
【発明の開示】
【発明が解決しようとする課題】
【０００６】
図３及び図４の従来例では次の問題点があった。
図３の例では、選択スイッチ内部を経由して終端抵抗を挿入するため、伝送路を選択スイッチへ引き入れることが必要となり、選択スイッチを伝送路の近傍に置くことが重要になる。しかし、通信装置の機構的都合上から選択スイッチを伝送路の近傍に配置できない場合には、配線を引き延ばすこととなり、伝送路の品質に悪影響を及ぼすことがあった。
また、伝送路の中間に位置する大多数の通信装置は終端抵抗を必要としないため、終端抵抗と選択スイッチを一様に備えることは通信装置を作る上でコストアップとなっていた。
【０００７】
一方、図４の例では、通信装置のコネクタ形状が小さいと、それに嵌合するコネクタのピンに終端抵抗を取り付ける加工が難しく、加工費も高くなる。
また、外付け終端抵抗モジュール自体の形状も大きくなってしまう。
【０００８】
本発明は上述した問題点を解決するためになされたものであり、省スペースで、最適な伝送路の終端ができる通信装置を実現することを目的とする。
【課題を解決するための手段】
【０００９】
このような課題を達成するために、本発明は次のとおりの構成になっている。
（１）信号を送受信する通信装置において、
対になった信号ライン間を終端する終端抵抗と、
該終端抵抗を機能させる選択スイッチを有し、
前記終端抵抗は、一端が通信装置のコネクタの未使用端子に接続されるとともに、他端が一方の信号ラインに接続されており、前記選択スイッチは、前記コネクタの未使用端子と、他方の信号ラインとの配線を形成することを特徴とする通信装置。
【００１０】
（２）前記選択スイッチは、短絡コネクタで、前記コネクタと接続されると、前記未使用端子と、前記他方の信号ラインに接続された端子の間を短絡することを特徴とする（１）記載の通信装置。
【００１１】
（３）前記信号ラインで行う通信は、差動シリアル転送であることを特徴とする（１）又は（２）記載の通信装置。
【発明の効果】
【００１２】
本発明によれば次のような効果がある。
終端抵抗を通信装置の内部に設け、選択スイッチを通信装置の外部に設けて分けることで、伝送路の配線を最適化することができるので、通信品質が確保される。
選択スイッチ機能はショート配線のみの単純な構成できるので、加工が容易であり、コンパクトで安価に選択スイッチを製作することができる。
【発明を実施するための最良の形態】
【００１３】
以下、図面を用いて本発明を詳細に説明する。
図１は本発明の一実施例を示す構成図である。
Ｅｔｈｅｒｎｅｔ（登録商標）などで一般的に使用されるＲＪ−４５型コネクタを使用した半二重通信の終端局を示している。
ＲＪ−４５型コネクタを使用した差動シリアル転送では、半二重通信の場合、送受信信号ラインＴＲＤ＋，ＴＲＤ−の２本の信号線で構成される。ＲＪ−４５型コネクタのピン数は８ピンであり、少なくとも２ピン以上は信号線を割り付けていないので、この余りピンを利用して終端抵抗回路を構成する。
【００１４】
各通信装置は２対のＲＪ−４５型コネクタを持ち、デイジチェーンで次のモジュールに接続されていく。通信装置１０は伝送路の最終局で、２対のコネクタ１１ａ，１１ｂのうち１つが余るため、この余ったコネクタ１１ｂに選択スイッチ１２を取り付ける。
選択スイッチ１２は、スイッチの機能を持ち、１ピンと３ピンをショートしたものであり、選択スイッチ１２をコネクタ１１ｂに取り付けることで、１ピンと２ピン間に終端抵抗１３が挿入される。
【００１５】
選択スイッチを通信装置１０の内部に持たせる場合は、選択スイッチのＯＮ／ＯＦＦを制御する回路が必要となるが、伝送路の中間に位置する通信装置では終端しないので、選択スイッチは不要であり、選択スイッチのＯＮ／ＯＦＦを制御する回路を通信装置の内部に持たせることはスペースとコストの面で不利である。
【００１６】
通信装置１０の内部に終端抵抗１３を設け、選択スイッチ１２を通信装置１０の外部に設けることにより、選択スイッチのＯＮ／ＯＦＦを制御する回路が不要となり、通信装置１０の省スペース化とともに、コストダウンも図ることができる。
また、選択スイッチへの不要は配線の引き回しがなくなるので、伝送路の配線を最適化することができる。
【００１７】
通信装置１０の内部に終端抵抗１３を設け、選択スイッチ１２を通信装置１０の外部に設けることにより、選択スイッチ１２は配線によるジャンパーのみとなるので、加工が簡単であり、小型で安価な選択スイッチ１２を構成することができる。
また、伝送路の中間に位置する通信装置では終端しないので、選択スイッチ１２は不要であり、必要な伝送路の両端のみに選択スイッチ１２を用意することができるので、不要な選択スイッチ１２を用意しておく必要がなくなり、その分コストダウンにもつながる。
【００１８】
図２は、本発明の他の実施例を示す図である。
図１では、終端抵抗１３をコネクタ１１ａ，１１ｂとで兼用しているのに対し、図２では、終端抵抗１３ａ，１３ｂをコネクタ１１ａ，１１ｂごとに備えている。コネクタ１１ａ，１１ｂと他の部品の位置関係から、終端抵抗が１つの場合には最適な配線パターンとすることができない場合に、それぞれのコネクタ１１ａ，１１ｂごとに終端抵抗１３ａ，１３ｂを配置することで、最適な配線パターンとなるようにすることができる。
【図面の簡単な説明】
【００１９】
【図１】本発明の一実施例を示す構成図である。
【図２】本発明の他の実施例を示す図である。
【図３】従来の終端方法の例を示す図である。
【図４】従来の終端方法の例を示す図である。
【符号の説明】
【００２０】
１０  通信装置
１１ａ，１１ｂ  コネクタ
１２  選択スイッチ
１３，１３ａ，１３ｂ  終端抵抗
【図１】
2006246222.tif 000003
【図２】
2006246222.tif 000004
【図３】
2006246222.tif 000005
【図４】
2006246222.tif 000006